(57)【特許請求の範囲】
【請求項１】
保持され手で操作されるスプレー装置であって，
スプレーされる流体のためのタンクと，スプレーシステムとを，有し，
前記スプレーシステムはスプレー口と，ポンプ手段と，手動スプレー制御部と，を有し，
前記手動スプレー制御部は手動で作動されるように構成され，
前記タンクはその底部を介して，平面に立てた場合に安定するように構成されたベースと連結され，前記スプレーシステムは前記ベース内に集積され，通常の動作態勢では流体は前記タンクの下方に配置された前記スプレーシステムを用いてスプレーされることが可能なように構成したことを特徴とするスプレー装置。
【請求項２】
前記ベースは前記タンクとは分離可能なように構成され，前記タンクに堅固に装着され，かつ前記タンクの下方に着脱可能あるいは着脱不可能なように固定されていることを特徴とする請求項１に記載のスプレー装置。
【請求項３】
前記ベースは安定して置くことができるよう平面の底部を有することを特徴とする請求項１または２に記載のスプレー装置。
【請求項４】
前記ポンプ手段は倒立型ポンプで構成され，重力によってタンクから供給を受けることを特徴とする請求項１から３のいずれか１項に記載のスプレー装置。
【請求項５】
前記倒立型ポンプは前記タンク下方の前記ベース内，あるいは前記タンクの底部に装着され，その圧縮及び吸引の軸は装置の通常の動作態勢において鉛直方向になるよう配置されていることを特徴とする請求項４に記載のスプレー装置。
【請求項６】
前記手動スプレー制御部は前記ベースに装着されていることを特徴とする請求項１から５のいずれか１項に記載のスプレー装置。
【請求項７】
前記手動スプレー制御部は，前記ベースの底面を構成する押し板から成り，前記押し板は前記スプレー装置の通常の姿勢において垂直方向にスライド可能なように，前記ベース本体に対して相対的に可動となるよう装着されていることを特徴とする請求項６に記載のスプレー装置。
【請求項８】
前記ベース本体は装置を置くための少なくとも１つの支持部を有することを特徴とする請求項７に記載のスプレー装置。
【請求項９】
前記倒立型ポンプは前記タンク下方の前記ベースに装着され，その圧縮及び吸引の軸は装置の通常の動作態勢に対して垂直であり，前記手動スプレー制御部は前記ベースの壁面に横向きに配置されていることを特徴とする請求項４に記載のスプレー装置。
【請求項１０】
前記タンクは底面開口部を有し，前記底面開口部は前記底面開口部に係合した床により密封され，前記底面開口部は校正開口部を介して前記ポンプ手段との境界面の結合部となることを特徴とする請求項１から９のいずれか１項に記載のスプレー装置。
【請求項１１】
前記タンク内部に設置され前記床により支持されるスタンドと，
前記スタンドに装着された装飾部である小立像と，を有する請求項１０に記載のスプレー装置。
【請求項１２】
手動スプレー制御部のための停止及び停止解除手段を有することを特徴とする請求項１から１１のいずれか１項に記載のスプレー装置。
【請求項１３】
前記タンクの頂部は付属品を有しないことを特徴とする請求項１から１２のいずれか１項に記載のスプレー装置。
【請求項１４】
香水スプレーであることを特徴とする請求項１から１３のいずれか１項に記載のスプレー装置。
【請求項１５】
スプレーされる液体中に自由に浮遊する複数の片を有することを特徴とする請求項１４に記載のスプレー装置。
【発明の詳細な説明】
【０００１】
【発明の属する技術分野】
本発明は，保持して手中での操作が可能であり，使用者が手動制御部を動作させることにより，タンク内に入っている液体あるいは流体，例えば香水等をスプレーされるスプレー装置に関するものである。本発明は，保持して手中での操作が可能であり，スプレー口，ポンプ手段，手動スプレー制御部を有するスプレーシステムとスプレーされる液体の入ったタンクとを具備するスプレー装置に関するものである。
【０００２】
【従来の技術】
香水に関して言えば，最も古くから使われ最も簡単な香水供給用の器具としては，頭部に１つの開口部を有し，その開口部をネジ機構等を用いた取り外し可能な栓，で閉じるよう構成された簡素なビンを利用していた。香水を使用する際は，香水の中に栓を湿らして，その栓を使用者が選択した肌の部位につける。
【０００３】
【発明が解決しようとする課題】
しかしながら，そのような装置は，必ずしも輸送に適するとは言えず，また，密閉性が悪いため，輸送および香水の特性維持の両方にとって不適であるという欠点を有することが知られている。香水製品の保存に対しては改善が行われ，いわゆる「バルブポンプ」と呼ばれる器具を有して供給を行うよう構成されたビンを具備する装置が用いられるようになった。香水の供給は「ベンチュリ」型システムにより行われるようになっているが，そのシステムは密封されておらず，香水をジェット噴出させるためにはバルブポンプを何回も押さなくてはならない。これらの装置も同様に気密性が悪いため輸送が困難である。また，これらの装置は，香水が過剰に消費されるようになると，香水が突然排出されるという欠点も有する。
【０００４】
このようなことから，香水供給装置に関しさらなる技術的な改良が進められている。それは主には，排出と香水の空中分散の制御に関し，さらに輸送適合性についても改良が行われている。これより，香水タンクとなるビンを有し，そのビンは弁を介して香水をスプレー状にビンから出すための加圧状態のガス（エアゾール）と連結されている香水供給システムが考案された。そのような原理に基づいて設計された香水ビンは，気密性が良いため，このシステムは，自然に輸送性も向上することになった。
【０００５】
しかしながら，そのような装置はガスのために余分の体積が必要となるため，装置全体の体積が大きくなる。特に輸送する際にはビンの容積の大きさは欠点となる。さらに，香水を噴出するために加圧下のガスを用いると，噴出される液体がひどく増進され，1回の噴出ごとに噴出される香水の量が相対的に多くなるということが判明した。このように1回の噴出ごとに使用される香水の量が相対的に多くなることは，一般に使用者にとって好ましいことではない。そして，このような装置は大気中に有害ガスを排出するという点で，環境保護的見地からして，必ずしも消費者に受け入れられるものではない。
【０００６】
したがって，香水供給装置は上述の全ての装置，すなわち，頂部が開口し，その開口部に噴出口やポンプ手段や手動スプレー制御部を具備するスプレーシステムを採用したビン，においてさらに開発が進められている。これらの装置におけるポンプ手段は，手動制御部で発生した圧力効果に反応する弾性組立部材によって，圧縮や吸引動作を行う通常のポンプである。そのポンプは保存ビンの高さ方向全長に及ぶ汲み出しチューブを経由して液体に接続されている。したがって，スプレーは通常，香水タンクの頂部に位置するスプレーシステムにより行われ，使用者は人差し指で手動制御部を押せばよく，片手だけでそのビンを操作できる。指で押せば一定量の香水がスプレーされ，手動制御部の液体の吸引を解除でき，同時にポンプ本体を介してスプレーされた液体は同体積の空気と置きかえられる。そのような原理に基づいて設計されたスプレー装置は，一般に満足のいくものとなり，また，気密性の高い設計のため，輸送が容易になる。また，そのようなスプレー装置は，一般に使用者が好むように快適に操作を行うことができる。
【０００７】
しかしながら，そのような装置にも様々な欠点がある。まず，ビンの頂部にスプレーシステムが配置されているため，一連の技術的な制約が生じる。特にビンの頂部に押しボタンを配置することになり，そのため，頂部でシステムを閉じるようにしなくてはならない。つまり，その外観の悪さに加えて，頂部でシステムを閉じるようビンを設計しなくてはならないという設計上の制約がつく。さらに，ビンの中に汲み出しチューブがあると，スプレー装置が不透明でない限り，全体がスプレー装置としてわかってしまい，外観上の点から好ましくない。容器を不透明にした場合もまた，スプレー装置としての全体的外観に制限がつく。つまり，中身の液体が直接見えなくなり，これは潜在的な購買者から歓迎されない可能性がある。さらに，汲み出しチューブを採用した場合，たいていの場合，汲み出しチューブの終端水位程度のごく微量の液体が残存した時に，液体全てを排出することは困難である。最後に，ビンの頂部にスプレーシステムあるいはスプレー装置を配置することは，装置の取り扱い方を制限するだけでなく，スプレーするために必要なスプレーシステムを必ず装置の頂部に配置しなくてはならないので，装置の体裁や３次元的構成を制限することになる。
【０００８】
したがって，本発明は，上述した様々な問題を改善するためになされたもので，その目的とするところは，保持と手中での操作が容易であり，改善された構成を有し，新規に設計された新たなスプレー装置を提供することにある。本発明の別の目的は，美観上優れた部分を有する新しい構成表現が可能な新たなスプレー装置を提供することにある。本発明の別の目的は，非常に簡素で，高い気密性を維持したまま動作するよう設計された，新たなスプレー装置を提供することにある。本発明の別の目的は，保持，操作，使用に対して極めて人間工学的に優れた，新たなスプレー装置を提供することにある。本発明の別の目的は，安全性及び信頼性に優れた動作が可能な新たなスプレー装置を提供することにある。本発明の別の目的は，香水をスプレーすることに非常に適した，新たなスプレー装置を提供することにある。
【０００９】
【課題を解決するための手段】
上記課題を解決するために，本発明は，請求項1に記載のように，保持され手で操作されるスプレー装置であって，スプレーされる流体のためのタンクと，スプレーシステムとを，有し，前記スプレーシステムはスプレー口と，ポンプ手段と，手動スプレー制御部と，を有し，前記タンクはその底部を介してベースと連結され，前記スプレーシステムは前記ベース内に集積され，通常の動作態勢では流体は前記タンクの下方に配置された前記スプレーシステムを用いてスプレーされることが可能なように構成したことを特徴とするスプレー装置を提供する。これより，保持しやすく，操作性の良いスプレー装置が得られる。
【００１０】
その際に，請求項２に記載のように，前記ベースは前記タンクとは分離可能なように構成され，前記タンクに堅固に装着され，かつ前記タンクの下方に着脱可能あるいは着脱不可能なように固定されていることが好ましい。また，請求項３に記載のように，前記ベースは略平面の底部を有するようにすれば，安定して置くことができる。さらに，請求項４に記載のように，前記ポンプ手段は倒立型ポンプで構成され，重力によってタンクから供給を受けるようにすることが好ましい。その際に，請求項５に記載のように，前記倒立型ポンプは前記タンク下方の前記ベース内，あるいは前記タンクの底部に装着され，その圧縮及び吸引の軸は装置の通常の動作態勢において略鉛直方向になるよう配置されるように構成してもよい。
【００１１】
なお，請求項６に記載のように，前記手動制御部は前記ベースに装着されていることが好ましい。その際に，請求項７に記載のように，前記手動制御部は，前記ベースの底面を構成する押し板から成り，前記押し板は軸方向にスライド可能なように，前記ベース本体に対して相対的に可動となるよう装着されているように構成することが好ましい。また，請求項８に記載のように，前記ベース本体は装置を置くための少なくとも１つの支持部を有することが好ましい。また，請求項９に記載のように，前記倒立型ポンプは前記タンク下方の前記ベースに装着され，その圧縮及び吸引の軸は装置の通常の動作態勢に対して略垂直であり，前記手動スプレー制御部は前期ベースの壁面に横向きに配置されているよう構成することも可能である。
【００１２】
さらに，請求項１０に記載のように，前記タンクは底面開口部を有し，前記底面開口部は前記底面開口部に係合した床により密封され，前記底面開口部は校正開口部を介して前記ポンプ手段との境界面の結合部となることが好ましい。その際に，請求項１１に記載のように，前記タンク内部に設置され前記床により支持されるスタンドと，前記スタンドに装着された装飾部，好ましくは小立像と，を有するよう構成することもできる。なお，請求項１２に記載のように，手動スプレー制御部のための停止及び停止解除手段を有することが好ましく，これにより，不慮の動作によって内部の液体がスプレーされるのを防ぐことができる。請求項１３に記載のように，前記タンクの頂部は付属品を有しないことが好ましく，これにより，装置頂部を自由にできるため，美観上優れたスプレー装置を提供することができる。本発明のスプレー装置は，請求項１４に記載のように，香水スプレー装置として適用することができる。また，請求項１５に記載のように，スプレーされる液体中に自由に浮遊する複数の片を有するようにしてもよい。
【００１３】
本発明のスプレー装置は，保持でき，適切な操作が可能であるので，あらゆる流体，特に，液体をスプレーする他の応用例についても適用可能である。よって，本発明においては，「スプレー装置」という用語は，香水スプレー，あるいは化粧品のような関連分野で使用されるスプレー，あるいは特に医学分野で使用されるスプレーにであるかに関わらず，保持され手中で操作して流体をスプレーすることが可能な，あらゆるスプレー装置に適用されると解釈すべきである。
【００１４】
【発明の実施の形態】
以下，本発明の理解を助けるために図面に基づいて本発明の実施の形態を詳細に説明する。図１から図５に示した本発明の実施の形態に係るスプレー装置は，片手あるいは両手で保持でき，好ましくは片手だけで操作できるよう形成されている。スプレー装置は，タンク１を有する。タンク１は，内部に流体，特に液体が入っており，特には香水を保存するように意図されているものである。タンク１の形状は任意に構成することができる。本実施の形態においては，図に示すように頂部が概球面となり，その底部末端は開放されたネック２，すなわち円形の断面となって終結している。タンク１は，その材料としてはプラスチックでもガラスでもよく，全体あるいは部分的に半透明でも透明でも，不透明でもよい。
【００１５】
タンク１の底部はベース３と連結している。ベース３の中には，スプレーシステム４が取りこまれ，着脱不能に装着されている。図１から図３に示すように，ベース３はタンク１とは別の部品で構成され，タンク１の下に堅固に固定されかつ任意に着脱できるように構成されていることが好ましい。タンク１のベース３への固定は，ネック２から半径方向に突出形成され１つあるいは複数のネジ山が形成されたカラー５と，ベース３の頂部に形成されたネジ６との螺合により行うようにしてもよい。ベース３へのタンク１の固定は，別の方法でもよく，例えば，相互に嵌合するようになっていてもよい。よって，本発明の第１の重要な特性によれば，流体タンク１は，ベース３の上に上下逆に装着される。すなわち，ネック２の外側端にあたるタンク１の排出開口部は，下向きであり，ベース３に対向するよう構成されている。このように，タンク１はその排出開口部が下向きになるよう装着されているため，タンク１の頂部は付属品が無い構成とすることができる。
【００１６】
タンク１はネック２によって定義される底部開口部を有し，この底部開口部はタンク１に係合した床１０によって密閉されている。床１０は連結部材として固定されており，校正開口部９を介してスプレーシステム４と接続する境界面となっている。校正開口部９の太さは，重力を受けた流体がその中を通過できるように構成されている。図１，２，３に示すように，床１０は，環状のリング１１と，ひだ付きリングとネック２の底部終端の間に挿入されたOリング１２とを用いて，ネック２に固定されている。
【００１７】
ベース３は，例えば，金属あるいはプラスチック材料で形成されており，主に側壁１３と底面１４から構成される。底面１４は底となる略平面部を少なくとも有し， 平面上に置かれた時安定するよう構成されているので，スプレー装置を安定して陳列できる。また，スプレー装置の底面１４には押しボタン機能が設置されている。
【００１８】
ベース３内部の空間に内含されたスプレーシステム４は，従来品同様，側壁１３に設けられ液体を外部に向かってスプレーするスプレー口８と，チャンネル８Aを経由してスプレー口８に接続されたポンプ手段１５と，使用者により作動され流体を排出するよう設計された手動スプレー制御部１６を有する。
【００１９】
スプレーシステム４は，特にポンプ手段がそうであるが，ベース３の内部に構成されており，図１，２，３に示すような通常の動作態勢においてタンク１の下部，好ましくは垂直下方に配置されたスプレーシステム４を用いて流体をスプレーすることが可能であるように構成されている。
【００２０】
本発明における「通常の動作態勢」という用語は，ベース３に関して略直立姿勢になるようスプレー装置を使用し，スプレーシステム４はタンク１の下方に位置し，流体は重力のみによってタンク１からスプレーシステム４に流れて行く状態をいう。
【００２１】
よって，ポンプ手段，すなわちポンプ１５は重力のみによってタンク１から供給を受けるような倒立型のポンプとして構成され，付随するポンプの入力室と圧縮室とスプレー口８はタンク１の下方に配置される。これより，ポンプ本体へ流体が引き込まれ，スプレー口８から置換用空気が入る時にも何ら真空漏れが生じることがない。
【００２２】
ここで使用されているタンク１は変形不可のものであるから，使用されるポンプ１５は空気回帰ポンプであることが好ましい。しかし，タンク１は内圧の変化に適応できるよう変形可能なものである場合は，当然，いわゆる「エアレス」ポンプ，すなわち，空気回帰型でないポンプ，の使用も考えられる。
【００２３】
ポンプとして好ましい幾何学的配置，つまり，上下逆型，あるいは頭部が下向きのタイプのポンプは，通常市販されており，「全方向型」ポンプとして，例えば，EMSON（商標登録済み）やPFEIFFER（商標登録済み）によって製造されている。それらは実質的に上下逆の態勢においても作動可能なものである。
【００２４】
図に示すように，倒立型ポンプ１５はタンク１の下方のベース３に装着され，バルブ部２０を介して直接あるいは間接に校正開口部９と関連付けられている。バルブ部２０は，校正開口部９に対し校正開口部９に設けられた気密性保持受けシートを介して弾性的に移動可能なように装着されている。
【００２５】
変形例として，ベース３がタンク１と別部材になっていない場合は，ベースはタンクの底部に延設されることになり，倒立型ポンプ１５はベースが形成されたタンク１の底部に固定される。
【００２６】
図１，２に示した第１の実施の形態では，倒立型ポンプ１５はベース３の内部あるいはタンク１の底部に固定され，装置がその通常の動作態勢である概直立姿勢にあるときは圧縮，吸引軸は概垂直方向に延びる対称軸に一致している。ポンプ１５は，床１０内に直接形成されたハウジング２１内に設置され固定されるようにしてもよく（図２），あるいはベース３の頂部仕切り２３に固定された中間ハウジング２２内に装着されるようにしてもよい（図１）。このような構成により，ポンプ１５の底部がベース３の底面１４上に位置する。さらに，好ましくは，ネック２とベース３の間の構成部品は，１つあるいは複数のOリング２４を挿入することによって密封されている。例えば，ハウジング２２と床１０の間にはOリング２４が挿入されている。
【００２７】
圧縮と吸引によって動作するポンプの特性は，当業界で通常の知識を持つ者によく知られていることであり，本発明の部分構成を成すものではない。よって，ここではそれらについて詳細に述べることはしない。
【００２８】
本発明において，手動スプレー制御部１６はベース３に装着されている。変形例として（図示せず），手動制御部１６は押しボタンとして底面１４に設置させるようにしてもよい。その際には，押しボタンは使用者により軸方向に動かすことができるよう形成され，ポンプ１５の対称軸に沿って可動することになる。
【００２９】
特に好ましい例として，図２に示すように，手動制御部１６は，押し板１６Aとして形成される。この場合，押し板１６Aはベース３の底面を構成し，ベース３本体に対して軸方向にスライドできるよう装着され，機能上はポンプ１５に接続しているよう構成される。本変形例では，ベース３の底部全体が，ベース３のその他の部分に対して，あるいは，タンク１の底部全体に対して，相対的に滑らかに動くことができる。
【００３０】
好ましくは，ベース本体は，装置を立たせるための少なくとも１つの支持部３０を具備している。図１，２，３に示すように，支持部３０は１組の鋲から成り，ベース３に堅固に固定されており，鋲は押し板１６A内に形成された開口部を貫通している。これより，スプレー装置を略平面的な土台の上に自由に置くことができ，押し板１６Aが誤って動いて中身を大量にスプレーしてしまうことはない。
【００３１】
本発明のスプレー装置は好ましくは，さらに，床１０に直接あるいは間接的に固定され，支持されているスタンド３１を含む。スタンド３１は，１つあるいは複数の装飾部３２をタンク１内部に設置する際に，その支持部材となることができる。装飾部３２の好ましい例としては，床１０に例えばつまみによって直接固定された小立像が考えられる。
【００３２】
図３は，図１とは異なる実施例を示すもので，相違点はポンプ１５の装着方法である。この変形例では，ポンプ１５はベース３の中のタンク１の下方に装着されているが，ポンプ１５の対称軸は水平方向に伸びているため，その圧縮と吸引の軸は，装置の通常の動作態勢に対して略直交する。この変形例では，手動スプレー制御部１６Cがベース３の側壁１３に横向きに配置されており，ポンプ１５の動作軸に沿って動くように構成されている。ポンプ１５の配置の相違を別にすれば，スプレー装置の装着に関する他の特徴は同じである。
【００３３】
スプレー装置は，手動スプレー制御部１６を動作させるための停止及び停止解除装置３５（図４，図５）を具備するようにしてもよい。好ましくは，停止及び停止解除装置３５は，ベース３の底面１４あるいは１６Aの２つの隣接位置の間をちょうつがい３７で動くようにしたレバー３６として構成される。図４の実線で示される隣接位置では，レバー３６は非作動状態になっており，すなわち，手動スプレー制御部１６は動かない。図４の点線で示される動作状態の隣接位置では，レバー頭部３８は押し板１６Aとポンプ１５の底部の間にかみ合っており，押し板１６Aと装置の他の部分のいかなる相対的な変位をも防ぐよう構成されている。これにより，手動スプレー制御部１６のいかなる不慮の動きをも防ぐことができる。図５に示すように，レバーは好ましくはベース３の内部に装着され，押し板１６Aの内面に直接接する。この配置では，レバー３６の終端３６Aは，押し板１６A内に形成され，直接使用者が触れることができるスロット４０を通るよう曲線を描いて動く。
【００３４】
次に，本発明のスプレー装置の動作について説明する。使用者が本発明のスプレー装置を使用する際は，装置は保持され，一般に片手で保持され，ベース３の下に親指をあて他の指でタンク１の頂部を保持するか，あるいは，他の方法としては，タンク１の頂部に親指を押し付ける。停止及び停止解除装置３５が非作動位置にある場合は，使用者は押し板１６Aか横の押しボタン１６Cを押すだけで，香水を出すことができる。
【００３５】
変形例として，タンク１はスプレーされる液体中に自由に浮遊する多数の薄片を有するようにしてもよく，その場合，それらは付加的な装飾要素となる。この場合には，スプレー装置は好ましくはフィルター４０A（図１）を具備する。フィルターとしては，例えば環状のフィルターで，床１０とスタンド３１の間に装着され，異質物がポンプ１５内に潜入するのを阻止してポンプ１５を保護するようなものが好ましい。フィルター４０Aについては，当然の事ながら，他の配置と形状も考えられる。また，タンク１はベース３上に着脱可能に装着されるようにしてもよい。
【００３６】
以上，添付図面を参照しながら本発明にかかる好適な実施形態について説明したが，本発明はかかる例に限定されないことは言うまでもない。当業者であれば，特許請求の範囲に記載された技術的思想の範疇内において，各種の変更例または修正例に想到し得ることは明らかであり，それらについても当然に本発明の技術的範囲に属するものと了解される。
【００３７】
【発明の効果】
以上，詳細に説明したように本発明によれば，構成と形状についても選択肢が増え，今までにない設計のスプレー装置を提供できる。また，タンクの頂部全体を拘束の無い状態にすることにより，装置頂部を自由で邪魔なものがないようにできるため，特に外観が美しく斬新なスプレー装置を提供することができる。さらに，装置内部に汲み出しチューブが全く無いため，重力のみによって供給されることになり，単純で装着容易な設計となり，そのことは特に外観上好ましいものとなり，同時にほんの微量の液体がタンク内に残った時でもタンク内を完全に空にするという課題を解決できる。さらにまた，本発明のスプレー装置は，装置を保持し操作する際に多様な態勢をとることができる。よって，装置の保持及び操作が容易で，特に手首の方向に多大な自由度を与えることができ，人間工学的に優れたスプレー装置を提供できる。さらにまた，手動スプレー制御部のための停止及び停止解除手段を設けることにより，不慮の動作によって内部の液体がスプレーされるのを防ぐことができる。
【図面の簡単な説明】
【図１】  本発明の実施の形態に係るスプレー装置の縦断面図である。
【図２】  本発明のスプレー装置に含まれるベース部の詳細を示す部分縦断面図である。
【図３】  本発明の実施の形態に係るスプレー装置の縦断面図である。
【図４】  本発明のスプレー装置のベース部に取り付けられた停止部の詳細を示す下面図である。
【図５】  本発明の停止部の詳細を示す部分断面図である。
【符号の説明】
１      タンク
３      ベース
４      スプレーシステム
８      スプレー口
１０      床
１４      底面
１５      ポンプ手段
１６      手動スプレー制御部
３０      支持部
３１      スタンド
３２      装飾部
３５      停止及び停止解除装置
【図１】
0004790893.tif 000002
【図２】
0004790893.tif 000003
【図３】
0004790893.tif 000004
【図４】
0004790893.tif 000005
【図５】
0004790893.tif 000006